(57)【要約】【課題】吸収性本体におけるよれや皺の発生を抑制して、フィット性を向上させると共に、外観上すっきりとした印象を与えることが可能な吸収性物品を提供する。【解決手段】吸収性本体２と、ルト部３１とを有するおむつ１であって、一対の脚回り開口部４が形成されており、縦方向の上方側から一対の脚回り開口部４に向かって、横方向外側へ傾斜した、少なくとも吸収性本体２及びベルト部３１を接合する一対の接合部５１，５２が設けられており、吸収性本体２は、吸収体２１と、肌側シート２２と、外装シート２３と、非肌側シート２４とを有し、一対の接合部５１，５２の横方向の間に、別体シート部材６１，６２が設けられており、別体シート部材６１，６２は、吸収性本体２のうちの吸収体２１が設けられていない領域と重なる部分を有する。【選択図】図１
2017006576.tif 000002
【特許請求の範囲】
【請求項１】
縦方向と横方向と前後方向とを有する吸収性物品であって、
前記縦方向に沿った吸収性本体と、
前記横方向に沿ったベルト部と、を有し、
一対の脚回り開口部が形成されており、
前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、
前記吸収性本体は、
液体を吸収する吸収体と、
前記吸収体よりも肌側に配置された液透過性の肌側シートと、
前記吸収体よりも非肌側に配置された外装シートと、
前記吸収体と前記外装シートとの間に配置された液不透過性の非肌側シートと、を有し、
前記前後方向のうち少なくとも一方側における前記一対の前記接合部の前記横方向の間に、別体シート部材が設けられており、
前記別体シート部材は、前記吸収性本体のうちの前記吸収体が設けられていない領域と重なる部分を有する
ことを特徴とする吸収性物品。
【請求項２】
請求項１に記載の吸収性物品であって、
前記別体シート部材は、前記吸収体よりも前記非肌側に設けられている
ことを特徴とする吸収性物品。
【請求項３】
請求項２に記載の吸収性物品であって、
前記別体シート部材は、前記吸収体と前記外装シートとの間に設けられている
ことを特徴とする吸収性物品。
【請求項４】
請求項２に記載の吸収性物品であって、
少なくとも一部に色が付された前記別体シート部材が、前記外装シートよりも前記非肌側に設けられており、
前方側における前記一対の前記接合部の前記横方向の間の領域の色と後方側における前記一対の前記接合部の前記横方向の間の領域の色とが異なっている
ことを特徴とする吸収性物品。
【請求項５】
請求項１に記載の吸収性物品であって、
前記別体シート部材は、前記吸収体よりも前記肌側に設けられている
ことを特徴とする吸収性物品。
【請求項６】
請求項５に記載の吸収性物品であって、
前記別体シート部材は、前記吸収性本体に接合されていない非接合部を前記縦方向の下端側に有し、
前記非接合部と前記吸収性本体との間には、前記縦方向の下方に開口する空間が形成されている
ことを特徴とする吸収性物品。
【請求項７】
請求項６に記載の吸収性物品であって、
前記非接合部には、弾性部材が前記横方向に伸長された状態で接合されている
ことを特徴とする吸収性物品。
【請求項８】
請求項１に記載の吸収性物品であって、
前記別体シート部材は、前方側における前記一対の前記接合部の前記横方向の間、及び後方側における前記一対の前記接合部の前記横方向の間に、それぞれ設けられており、
前記前方側の前記別体シート部材及び前記後方側の前記別体シート部材のうちいずれか一方は、前記吸収体よりも前記非肌側に設けられ、他方は、前記吸収体よりも前記肌側に設けられている
ことを特徴とする吸収性物品。
【請求項９】
請求項８に記載の吸収性物品であって、
前記一方の前記別体シート部材は、少なくとも一部に色が付された状態で前記外装シートよりも前記非肌側に設けられており、
前記前方側における前記一対の前記接合部の前記横方向の間の領域の色と前記後方側における前記一対の前記接合部の前記横方向の間の領域の色とが異なっている
ことを特徴とする吸収性物品。
【請求項１０】
請求項１〜９のいずれかに記載の吸収性物品であって、
前記吸収性本体のうちの前記吸収体が設けられていない領域は、非伸縮領域である
ことを特徴とする吸収性物品。
【請求項１１】
請求項１〜１０のいずれかに記載の吸収性物品であって、
前記別体シート部材は、前記一対の接合部によって、前記吸収性本体及び前記ベルト部と一体に接合されている
ことを特徴とする吸収性物品。
【発明の詳細な説明】
【技術分野】
【０００１】
本発明は、吸収性物品に関する。
【背景技術】
【０００２】
従来、吸収性物品として、一つのウエスト開口部及び一対の脚回り部を有する、いわゆるパンツ型の使い捨ておむつが知られている。例えば、特許文献１には、脚回り部の外側縁に沿ってレッグギャザー部が形成された吸収性本体（おむつ本体）と、吸収性本体の幅方向の両側に配設された一対のウエストベルトとを備えたものが開示されている。
【０００３】
特許文献１に記載の使い捨ておむつにおいて、吸収性本体は、着用者の肌に接する側に配設された透液性表面シートと、着用者の肌に接する側とは反対側に配設された不透液性裏面シートと、透液性表面シート及び不透液性裏面シートの間に封入された液吸収体とを積層して構成されている。一対のウエストベルトはそれぞれ、長手方向の両端が吸収性本体の幅方向の両端縁にそれぞれ接合されている。一対の接合部分は、幅方向の外側に向かって傾斜している。これら一対の接合部分の幅方向の間において、吸収性本体は、液吸収体が設けられていない領域を有している。
【先行技術文献】
【特許文献】
【０００４】
【特許文献１】特開平９−２９０００３号公報
【発明の概要】
【発明が解決しようとする課題】
【０００５】
特許文献１に記載のものでは、着用者の腹側中央及び背側中央に相当する一対の接合部分の幅方向の間において、吸収性本体が、液吸収体が設けられていない領域、すなわち液吸収体が設けられている領域よりも剛性の低い領域を有していることにより、着用時において当該剛性の低い領域によれや皺が発生しやすい。そのため、着用者の肌にフィットしづらく、着用者へ違和感を与えたり、外観上の印象が損なわれたりする等の問題が生じやすかった。
【０００６】
本発明は、上記のような問題に鑑みてなされたものであって、その目的とするところは、吸収性本体におけるよれや皺の発生を抑制して、フィット性を向上させると共に、外観上すっきりとした印象を与えることが可能な吸収性物品を提供することにある。
【課題を解決するための手段】
【０００７】
上記目的を達成するための主たる発明は、縦方向と横方向と前後方向とを有する吸収性物品であって、前記縦方向に沿った吸収性本体と、前記横方向に沿ったベルト部と、を有し、一対の脚回り開口部が形成されており、前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、前記吸収性本体は、液体を吸収する吸収体と、前記吸収体よりも肌側に配置された液透過性の肌側シートと、前記吸収体よりも非肌側に配置された外装シートと、前記吸収体と前記外装シートとの間に配置された液不透過性の非肌側シートと、を有し、前記前後方向のうち少なくとも一方側における前記一対の前記接合部の前記横方向の間に、別体シート部材が設けられており、前記別体シート部材は、前記吸収性本体のうちの前記吸収体が設けられていない領域と重なる部分を有することを特徴とする吸収性物品である。本発明の他の特徴については、本明細書及び添付図面の記載により明らかにする。
【発明の効果】
【０００８】
本発明によれば、吸収性本体におけるよれや皺の発生を抑制して、フィット性を向上させると共に、外観上すっきりとした印象を与えることが可能となる。
【図面の簡単な説明】
【０００９】
【図１】本発明の第１実施形態に係るおむつの外観を示す概略斜視図である。
【図２】図２Ａは吸収性本体の長手方向に沿って伸長させた状態のおむつを示す平面図であり、図２Ｂは図２ＡのIIＢ−IIＢ線断面図である。
【図３】図３Ａは製造工程の途中におけるおむつの展開状態を示す平面展開図であり、図３Ｂは図３ＡのIIIＢ−IIIＢ線断面図である。
【図４】図４Ａ及び図４Ｂはおむつの概略平面図であり、図４Ａはおむつを前方から見た場合、図４Ｂはおむつを後方から見た場合を示している。
【図５】おむつを縦方向に切断した場合の断面模式図である。
【図６】図６Ａ及び図６Ｂは、本発明の第２実施形態に係るおむつを示し、図６Ａは製造工程の途中におけるおむつの展開状態を示す平面展開図であり、図６Ｂは図６ＡのVIＢ−VIＢ線断面図である。
【図７】本発明の第２実施形態に係るおむつを縦方向に切断した場合の断面模式図である。
【図８】本発明の第３実施形態に係るおむつを縦方向に切断した場合の断面模式図である。
【発明を実施するための形態】
【００１０】
本明細書及び添付図面の記載により、少なくとも以下の事項が明らかとなる。
【００１１】
縦方向と横方向と前後方向とを有する吸収性物品であって、前記縦方向に沿った吸収性本体と、前記横方向に沿ったベルト部と、を有し、一対の脚回り開口部が形成されており、前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、前記吸収性本体は、液体を吸収する吸収体と、前記吸収体よりも肌側に配置された液透過性の肌側シートと、前記吸収体よりも非肌側に配置された外装シートと、前記吸収体と前記外装シートとの間に配置された液不透過性の非肌側シートと、を有し、前記前後方向のうち少なくとも一方側における前記一対の前記接合部の前記横方向の間に、別体シート部材が設けられており、前記別体シート部材は、前記吸収性本体のうちの前記吸収体が設けられていない領域と重なる部分を有する吸収性物品が明らかとなる。
【００１２】
このような吸収性物品によれば、着用者の腹側中央及び背側中央に相当する一対の接合部の間に設けられた別体シート部材が、吸収体が設けられていない領域、すなわち吸収体が設けられている領域よりも剛性の低い領域、と重なる部分を有しているため、当該吸収体が設けられていない領域の剛性が高まり、着用時における吸収性本体のよれや皺の発生を抑制してフィット性を向上させることができる。これにより、外観上も、すっきりとした印象を与えることができる。
【００１３】
かかる吸収性物品であって、前記別体シート部材は、前記吸収体よりも前記非肌側に設けられていることが望ましい。
【００１４】
このような吸収性物品によれば、例えば尿などの排泄液を吸収する吸収体よりも非肌側に別体シート部材が設けられている場合、吸収体が設けられた領域と重なる部分を別体シート部材が有していてもよく、別体シート部材が吸収体よりも肌側に設けられた場合（吸収体が設けられた領域と重ならないように考慮すべき場合）と比べて、より大きい別体シート部材を用いることが可能となるため、吸収性本体のより広い領域において剛性が高まり、着用時におけるよれや皺の発生をより抑制してフィット性を向上させることができる。これにより、外観上も、よりすっきりとした印象を与えることができる。
【００１５】
かかる吸収性物品であって、前記別体シート部材は、前記吸収体と前記外装シートとの間に設けられていることが望ましい。
【００１６】
このような吸収性物品によれば、別体シート部材が吸収体と外装シートとの間に設けられており、外部に露出していないため、外観において、別体シート部材が目立つことなく、よりすっきりとした印象を与えることができる。
【００１７】
かかる吸収性物品であって、少なくとも一部に色が付された前記別体シート部材が、前記外装シートよりも前記非肌側に設けられており、前方側における前記一対の前記接合部の前記横方向の間の領域の色と後方側における前記一対の前記接合部の前記横方向の間の領域の色とが異なっていることが望ましい。
【００１８】
このような吸収性物品によれば、色の異なる別体シート部材を外装シートよりも非肌側に設けることにより、別体シート部材が外部から容易に視認できるようになるため、当該別体シート部材に付された色を基にして本吸収性物品の前後方向の判断がしやすくなる。
【００１９】
かかる吸収性物品であって、前記別体シート部材は、前記吸収体よりも前記肌側に設けられていることが望ましい。
【００２０】
このような吸収性物品によれば、別体シート部材が吸収体よりも肌側に設けられており、外部に露出していないため、外観において、別体シート部材が目立つことなく、よりすっきりとした印象を与えることができる。
【００２１】
かかる吸収性物品であって、前記別体シート部材は、前記吸収性本体に接合されていない非接合部を前記縦方向の下端側に有し、前記非接合部と前記吸収性本体との間には、前記縦方向の下方に開口する空間が形成されていることが望ましい。
【００２２】
このような吸収性物品によれば、非接合部と吸収性本体との間に縦方向の下方に開口する空間が形成されていることにより、吸収性本体の表面を伝った尿等を当該空間にて受け止めることができ、尿等の漏れを抑制することができる。さらに、例えば本吸収性物品に吸収パッドを用いるような場合であっても、当該空間に吸収パッドの長手方向の端部を収容することができるため、吸収パッドを収容する空間を別途設ける必要がない。
【００２３】
かかる吸収性物品であって、前記非接合部には、弾性部材が前記横方向に伸長された状態で接合されていることが望ましい。
【００２４】
このような吸収性物品によれば、非接合部と吸収性本体との間に形成された空間に例えば吸収パッドの長手方向の端部を収容する場合であっても、非接合部に弾性部材が接合されていることにより非接合部が横方向に収縮し、当該空間内に収容される吸収パッドの端部との間の隙間が埋まるため、吸収パッドの端部の当該空間内からの抜け落ちを抑制することが可能となる。
【００２５】
かかる吸収性物品であって、前記別体シート部材は、前方側における前記一対の前記接合部の前記横方向の間、及び後方側における前記一対の前記接合部の前記横方向の間に、それぞれ設けられており、前記前方側の前記別体シート部材及び前記後方側の前記別体シート部材のうちいずれか一方は、前記吸収体よりも前記非肌側に設けられ、他方は、前記吸収体よりも前記肌側に設けられていることが望ましい。
【００２６】
このような吸収性物品によれば、前方側と後方側とにおいて、別体シート部材を設ける位置を変えることにより、前方側及び後方側の構造の違いを基にして着用時における本吸収性物品の前後方向の判断がしやすくなる。
【００２７】
かかる吸収性物品であって、前記一方の前記別体シート部材は、少なくとも一部に色が付された状態で前記外装シートよりも前記非肌側に設けられており、前記前方側における前記一対の前記接合部の前記横方向の間の領域の色と前記後方側における前記一対の前記接合部の前記横方向の間の領域の色とが異なっていることが望ましい。
【００２８】
このような吸収性物品によれば、吸収体よりも非肌側に設けられた別体シート部材に色を付して、外装シートよりもさらに非肌側に設けることにより、別体シート部材が外部からより簡単に確認できるようになるため、当該別体シート部材に付された色を基にして着用時における本吸収性物品の前後方向の判断がよりしやすくなる。
【００２９】
かかる吸収性物品であって、前記吸収性本体のうちの前記吸収体が設けられていない領域は、非伸縮領域であることが望ましい。
【００３０】
このような吸収性物品によれば、吸収性本体のうちの吸収体が設けられていない領域では、伸縮性を有しない非伸縮領域であるため、肌側シートが横方向に伸縮せず、着用者の肌にフィットしづらい。その結果、着用時において肌側シートと着用者の肌との間に隙間が生じて、よれや皺がより発生しやすい。そこで、当該吸収体が設けられていない領域と重なる部分を別体シート部材が有することで、当該吸収体が設けられていない領域の剛性が高まり、着用時におけるよれや皺の発生を抑制してフィット性を向上させることができる。これにより、外観上も、すっきりとした印象を与えることができる。
【００３１】
かかる吸収性物品であって、前記別体シート部材は、前記一対の接合部によって、前記吸収性本体及び前記ベルト部と一体に接合されていることが望ましい。
【００３２】
このような吸収性物品によれば、別体シート部材、吸収性本体、及びベルト部を、一対の接合部において一体に接合することにより、着用時における肌との接触や摩擦等の影響によって別体シート部材が吸収性本体から外れてしまうといった事態を抑制して、当該影響に左右されることなく、吸収体が設けられていない領域の剛性を高めることができる。
【００３３】
＝＝＝第１実施形態＝＝＝
本発明の第１実施形態に係る吸収性物品の一例として、パンツ型の使い捨ておむつ１（以下では、単におむつ１とする）について説明する。
【００３４】
＜おむつ１の全体構成＞
おむつ１の全体構成について、図１〜図３を参照して説明する。
【００３５】
図１は、本発明の第１実施形態に係るおむつ１の外観を示す概略斜視図である。
【００３６】
このおむつ１は、着用時において図１に示されるようなパンツ型の形状をしている。パンツ型の状態において、おむつ１は、互いに直交する「縦方向」と「横方向」と「前後方向」とを有している。なお、縦方向のうち、着用者の胴回り側を上側（上方）とし、着用者の股下側を下側（下方）とする。また、前後方向のうち、着用者の腹側を前側（前方）とし、着用者の背側を後側（後方）とする。
【００３７】
おむつ１は、縦方向に沿った吸収性本体２及びレッグギャザー部３２と、横方向に沿ったベルト部３１とを有している。おむつ１の縦方向の上側には胴回り開口部ＨＢが形成され、横方向の両側には一対の脚回り開口部４が形成されている。
【００３８】
吸収性本体２は、帯状であり、例えば尿等の排泄液を吸収して保持する吸収体２１を内部に備えている。図１に示すように、パンツ型の状態のおむつ１では、前方の上方側に吸収性本体２の長手方向の一端側が位置しており、着用者の股下を介して後方の上方側に吸収性本体２の長手方向の他端側が位置している。なお、図１では、吸収体２１を破線で示している。
【００３９】
ベルト部３１は、本実施形態では、おむつ１の縦方向の上方側において、吸収性本体２の横方向の両側にそれぞれ設けられている。ベルト部３１には、横方向に伸縮可能な複数の糸ゴム３１ａが縦方向に並んで配置されている。レッグギャザー部３２は、吸収性本体２の横方向の両側にそれぞれ設けられている。レッグギャザー部３２には、縦方向に伸縮可能な複数の糸ゴム３２ａが横方向に並んで配置されている。ベルト部３１に配置された糸ゴム３１ａやレッグギャザー部３２に配置された糸ゴム３２ａの作用によって、おむつ１が着用者の胴回りや脚回りにフィットする。
【００４０】
一対の脚回り開口部４の周縁４０は、一対のベルト部３１の縦方向の下縁と一対のレッグギャザー部３２の横方向の外縁とによって形成されている。なお、必ずしも一対のベルト部３１の下縁及び一対のレッグギャザー部の外縁によって一対の脚回り開口部４の周縁４０を形成する必要はなく、例えば一対のベルト部３１の縦方向の下端部及び一対のレッグギャザー部３２の横方向の外端部に別のシート部材等が設けられ、当該別のシート部材等の縁によって一対の脚回り開口部４の周縁４０が形成されていてもよい。
【００４１】
おむつ１の前方には、縦方向の上方側（胴回り開口部ＨＢ）から脚回り開口部４に向かって横方向の外側へ傾斜した第１接合部５１が、横方向に並んで一対設けられている。同様にして、おむつ１の後方には、縦方向の上方側から脚回り開口部４に向かって横方向の外側へ傾斜した第２接合部５２が、横方向に並んで一対設けられている。第１接合部５１及び第２接合部５２は、吸収性本体２の横方向の外側端部とベルト部３１の横方向の内側端部とを接合している。
【００４２】
一対の第１接合部５１の横方向の間、及び一対の第２接合部５２の横方向の間にはそれぞれ、別体シート部材が設けられている。図１では、一対の第１接合部５１の横方向の間に設けられた別体シート部材（第１別体シート部材６１）のみを示す。また、図１において、第１別体シート部材６１を網掛けで示し、第１別体シート部材６１によって隠れた吸収性本体２の部分を破線で示している。なお、当該別体シート部材の詳細については、後述することとする。
【００４３】
次に、おむつ１を吸収性本体２の長手方向に沿って伸長させた状態における各部材の構成について、図２Ａ及び図２Ｂ、ならびに図３Ａ及び図３Ｂを参照して説明する。
【００４４】
図２Ａは、吸収性本体２の長手方向に沿って伸長させた状態のおむつ１を示す平面図であり、図２Ｂは、図２ＡのIIＢ−IIＢ線断面図である。図３Ａは、製造工程の途中におけるおむつ１の展開状態を示す平面展開図であり、図３Ｂは、図３ＡのIIIＢ−IIIＢ線断面図である。
【００４５】
おむつ１は、製造工程の最終段階では図２Ａに示すような平面状態である。平面状態のおむつ１は、互いに直交する「長手方向」と「横方向」と「厚さ方向」とを有している。平面状態のおむつ１の長手方向は、吸収性本体２の長手方向に沿った方向であり、図１に示すようなパンツ型の状態のおむつ１の縦方向に対応する方向である。しかしながら、厳密には、パンツ型の状態のおむつ１の縦方向と平面状態のおむつ１の長手方向とは若干意味が異なるため、必要に応じて「パンツ型の状態での縦方向」、「平面状態での長手方向」等、両者を区別して扱う。
【００４６】
なお、図２Ａにおいて、おむつ１を吸収性本体２の長手方向に沿って伸長させた状態とは、おむつ１に配置された各弾性部材（例えば、ベルト部３１に配置された糸ゴム３１ａやレッグギャザー部３２に配置された糸ゴム３２ａ等）による収縮力に抗しておむつ１を長手方向に伸長させた場合において、各弾性部材が配置されている部分において実質的に皺やギャザーが視認できなくなる程度まで伸長させた状態のことをいう。したがって、吸収性本体２の長手方向に伸長させた状態におけるおむつ１の形状は、各弾性部材による収縮力が発現していない状態において平坦に延びているおむつ１の形状と同じである。
【００４７】
以下の説明では、おむつ１を長手方向に伸長させた状態において、着用者の腹側にあたる側を長手方向の前側、着用者の背側にあたる側を長手方向の後側とする。平面状態のおむつ１の横方向は、パンツ型状態のおむつ１の横方向と同じ概念である。平面状態のおむつ１の厚さ方向は、長手方向及び横方向に直交する方向であり、着用者の肌と接触する側を「肌側」とし、その反対側を「非肌側」とする。
【００４８】
図２Ａ及び図２Ｂに示すように、平面状態のおむつ１において、吸収性本体２の横方向の両側に一対のレッグギャザー部３２が配置され、吸収性本体２の一部及びレッグギャザー部３２と厚さ方向の肌側に重なるように一対のベルト部３１が配置されている。
【００４９】
このように配置されたベルト部３１及びレッグギャザー部３２は、本実施形態では、図３Ａに示すように、長手方向に延びる折り返し線ＦＬでシート部材３を横方向の内側に折り返すことによって形成されている。換言すれば、シート部材３は、ベルト部３１と、レッグギャザー部３２とを備えている。図２Ａ及び図３Ａでは、折り返し線ＦＬを二点鎖線で示している。
【００５０】
図２Ｂ及び図３Ｂに示すように、シート部材３は、例えば不織布等の柔軟なシート部材を厚さ方向に二枚重ねにして形成され、その間には糸ゴム（例えばベルト部３１側の糸ゴム３１ａやレッグギャザー部３２側の糸ゴム３２ａ）等の弾性部材が長手方向に伸長された状態で配置されている。
【００５１】
図３Ｂに示すように、ベルト部３１の横方向の外側端部領域は、第１ベルト端部折り返し線ＦＬｂ１及び第２ベルト端部折り返し線ＦＬｂ２（図３Ａに示す）にて横方向の内側に２回折り返され、ホットメルト接着剤等で当該折り返し状態に固定されている。すなわち、第２ベルト端部折り返し線ＦＬｂ２は、図２Ａにおいて、ベルト部３１の横方向内側端部３１ｅｉとなる部分であり、胴回り開口部ＨＢの周縁となる部分である。
【００５２】
胴回り開口部ＨＢをこのような端部折り畳み構造とすることにより、おむつ１を着用する際に、着用者の胴周りにおけるストレスを軽減することができる。ただし、当該横方向端部領域は必ずしも上述のような折り畳み構造とされていなくても良い。
【００５３】
図２Ａに示すように、ベルト部３１には、横方向の外側端部３１０（折り返し線ＦＬ）において一部が切り欠かれた切り欠き４１が形成されている。同様に、レッグギャザー部３２には、横方向の外側端部３２０（折り返し線ＦＬ）において一部が切り欠かれた切り欠き４２が形成されている。
【００５４】
ベルト部３１側の切り欠き４１とレッグギャザー部３２側の切り欠き４２とが組み合わされることによって、脚回り開口部４（図１参照）が形成される。本実施形態では、ベルト部３１及びレッグギャザー部３２はシート部材３に備わっているため、ベルト部３１側の切り欠き４１及びレッグギャザー部３２側の切り欠き４２（脚回り開口部４）は、シート部材３を厚さ方向に貫通する貫通穴によって形成されている。また、図２Ａ及び図３Ａに示すように、ベルト部３１側の切り欠き４１の形状とレッグギャザー部３２側の切り欠き４２の形状とが多少異なっているが、必ずしもこれに限らず、同一形状であってもよい。
【００５５】
吸収性本体２は、図２Ｂ及び図３Ｂに示すように、液体を吸収して保持する吸収体２１と、吸収体２１よりも厚さ方向の肌側に配置された肌側シート２２と、吸収体２１よりも厚さ方向の非肌側に配置された外装シート２３と、吸収体２１と外装シート２３との間に配置された非肌側シート２４とを有している。
【００５６】
吸収体２１は、液体吸収性素材が所定の形状（例えば、平面視略砂時計形状）に成形された吸収性コアと、当該吸収性コアの外周面を被覆するコアラップシートとを備えている。液体吸収性素材としては、パルプ繊維等の液体吸収性繊維や、高吸収性ポリマー（所謂ＳＡＰ）等の液体吸収性粒状物を例示できる。コアラップシートとしては、ティッシュペーパーや不織布等の液透過性シートを使用可能である。なお、吸収体２１は、必ずしも吸収性コア及びコアラップシートを備えている必要はなく、液体を吸収して当該液体を内部に保持できる素材で形成されていればよい。
【００５７】
肌側シート２２は、例えばエアスルー不織布等の液透過性の柔軟なシート部材で形成されている。外装シート２３は、例えば不織布等のシート部材で形成されている。なお、外装シート２３は、必ずしも液透過性のシート部材である必要はなく、例えば液不透過性のフィルム等で形成されていてもよい。図２Ｂ及び図３Ｂに示すように、外装シート２３は、吸収性本体２を構成する各部材の中で厚さ方向の最も非肌側に配置されている。非肌側シート２４は、例えばポリエチレン（ＰＥ）フィルム又はポリプロピレン（ＰＰ）フィルム等の液不透過性のシート部材で形成されている。
【００５８】
肌側シート２２、外装シート２３、及び非肌側シート２４は、各平面サイズが、吸収体２１の長手方向の両端及び横方向の両端から突出するようなサイズである。したがって、吸収性本体２は、長手方向の両端及び横方向の両端にそれぞれ、吸収体２１が設けられていない領域を有している。本実施形態では、当該吸収体２１が設けられていない領域は、弾性部材等が配置されていない非伸縮領域である。なお、吸収体２１が設けられていない領域は、必ずしも非伸縮領域である必要はない。
【００５９】
吸収体２１、肌側シート２２、外装シート２３、及び非肌側シート２４は、それぞれ厚さ方向に隣り合う部材と例えばホットメルト接着剤等の接着剤で接合されている。当該接着剤の塗布パターンとしては、Ωパターンやスパイラルパターン、ストライプパターン等が挙げられる。これは、他の接着剤の塗布パターンについても同様である。
【００６０】
図２Ａに示すように、平面状態のおむつ１の長手方向において、前方に位置する一対の第１接合部５１の横方向の間に第１別体シート部材６１が、後方に位置する一対の第２接合部５２の横方向の間に第２別体シート部材６２が、それぞれ設けられている。パンツ型の状態のおむつ１では、前後方向の前方側（着用者の腹側）における一対の第１接合部５１の横方向の間に第１別体シート部材６１が、前後方向の後方側（着用者の背側）における一対の第２接合部５２の横方向の間に第２別体シート部材６２が、それぞれ設けられていることとなる。
【００６１】
なお、パンツ型の状態のおむつ１において、必ずしも、前後方向の前方側に第１別体シート部材６１が、後方側に第２別体シート部材６２が、それぞれ設けられている必要はなく、前後方向のうち少なくとも一方側における一対の接合部の横方向の間に別体シート部材が設けられていればよい。
【００６２】
図２Ａ及び図３Ａに示すように、第１別体シート部材６１及び第２別体シート部材６２は、吸収性本体２のうちの吸収体２１が設けられていない領域と重なる部分を有している。当該吸収体２１が設けられていない領域は、吸収体２１が設けられている領域よりも剛性が低いため、おむつ１の着用時においてよれや皺が発生しやすい。
【００６３】
さらに、本実施形態では、前述したように、当該吸収体２１が設けられていない領域が非伸縮領域であるため、当該非伸縮領域では肌側シート２２が横方向に伸縮せず、着用者の肌にフィットしづらい。その結果、おむつ１の着用時において、肌側シート２２と着用者の肌との間に隙間が生じ、吸収性本体２によれや皺がより発生しやすい。
【００６４】
そこで、第１別体シート部材６１及び第２別体シート部材６２が、当該吸収体２１が設けられていない領域と重なる部分を有することにより、当該吸収体２１が設けられていない領域の剛性が高まり、おむつ１の着用時における吸収性本体２のよれや皺の発生を抑制してフィット性を向上させることができる。これにより、おむつ１の外観上も、すっきりとした印象を与えることができる。
【００６５】
図２Ｂ及び図３Ｂに示すように、第２別体シート部材６２は、吸収体２１よりも厚さ方向の非肌側に設けられている。具体的には、第２別体シート部材６２は、吸収体２１と非肌側シート２４との間に設けられているが、これに限らず、少なくとも吸収体２１よりも非肌側に設けられていればよい。また、本実施形態では、第１別体シート部材６１も、第２別体シート部材６２と同様に、吸収体２１よりも非肌側に設けられている。第１別体シート部材６１及び第２別体シート部材６２の詳しい位置関係については、後述することとする。
【００６６】
このように、第１別体シート部材６１及び第２別体シート部材６２が吸収体２１よりも非肌側に設けられている場合には、図２Ａ及び図３Ａに示すように、第１別体シート部材６１及び第２別体シート部材６２は、吸収体２１が設けられた領域と重なる部分を有していてもよい。
【００６７】
一方、第１別体シート部材６１及び第２別体シート部材６２が吸収体２１よりも肌側に設けられている場合（第２実施形態の場合）には、第１別体シート部材６１及び第２別体シート部材６２は、吸収体２１が設けられた領域に重ならないように配置することが望ましい。なぜなら、第１別体シート部材６１及び第２別体シート部材６２が着用者の排泄口と吸収体２１との間に介在することにより、吸収体２１への液体の円滑な吸収の妨げとなる可能性があるからである。
【００６８】
したがって、第１別体シート部材６１及び第２別体シート部材６２が吸収体２１よりも非肌側に設けられている場合には、第１別体シート部材６１及び第２別体シート部材６２が吸収体２１よりも肌側に設けられている場合と比べて、より大きなサイズのシート部材を用いることが可能となるため、吸収性本体２のより広い領域において剛性が高まり、おむつ１の着用時における吸収性本体２のよれや皺の発生をより抑制してフィット性を向上させることができる。これにより、おむつ１の外観上も、よりすっきりとした印象を与えることができる。
【００６９】
第１別体シート部材６１及び第２別体シート部材６２には、例えば不織布等の通気性のよいシート部材を用いることができ、好ましくはスパンボンド不織布、ＳＭＳ不織布等の比較的に剛性の高いシート部材がよい。なお、第１別体シート部材６１及び第２別体シート部材６２は、必ずしも不織布等である必要はなく、少なくとも吸収性本体２のうちの吸収体２１が設けられていない領域の剛性を高めることが可能な部材であればよい。
【００７０】
図３Ａに示すように、おむつ１の製造工程の途中では、第１別体シート部材６１及び第２別体シート部材６２はそれぞれ、平面状態でのおむつ１における横方向に長辺を有し、長手方向に短辺を有する長方形状であり、吸収性本体２及びシート部材３の一部（レッグギャザー部３２）と厚さ方向に重なるように配置されている。ただし、当該長方形状の第１別体シート部材６１及び第２別体シート部材６２は、配置された際に脚回り開口部４と重ならないように短辺方向の幅が調整されている。また、当該長方形状の第１別体シート部材６１及び第２別体シート部材６２は、長辺方向の幅が、横方向に並ぶ折り返し線ＦＬの間の距離と等しく設定されている。
【００７１】
本実施形態では、第１別体シート部材６１は、一対の第１接合部５１によって、吸収性本体２及びシート部材３と一体に接合されている。具体的には、第１別体シート部材６１を吸収性本体２及びシート部材３に例えばホットメルト接着剤等の接着剤によって接合させた上で、シート部材３を折り返し線ＦＬで横方向の内側に折り返して一対の第１接合部５１を形成する。第１接合部５１は、吸収性本体２の長手方向の前端から横方向の外側へ向かって折り返し線ＦＬまで延びている。
【００７２】
第２別体シート部材６２についても、第１別体シート部材６１と同様にして、一対の第２接合部５２によって、吸収性本体２及びシート部材３と一体に接合されている。第２接合部５２は、吸収性本体２の長手方向の後端から横方向の外側へ向かって折り返し線ＦＬまで延びている。図３Ａでは、第１接合部５１及び第２接合部５２をそれぞれ、一点鎖線で示している。
【００７３】
第１接合部５１及び第２接合部５２における接合方法としては、熱溶着や超音波溶着等の公知の溶着手段が挙げられるが、これに限らず、例えばホットメルト接着剤等の接着剤を用いてもよい。
【００７４】
なお、第１別体シート部材６１及び第２別体シート部材６２はそれぞれ、吸収性本体２、ベルト部３１、及びレッグギャザー部３２と一体に接合されているが、必ずしもこれに限らず、少なくとも吸収性本体２及びベルト部３１と一体に接合されていればよい。
【００７５】
第１別体シート部材６１、吸収性本体２、及びベルト部３１を一対の第１接合部５１において一体に接合することにより、おむつ１の着用時における肌との接触や摩擦等の影響によって第１別体シート部材６１が吸収性本体２から外れてしまうといった事態を抑制し、着用時におけるこのような影響に左右されることなく、吸収体２１が設けられていない領域の剛性を高めることが可能となる。このことは、第２別体シート部材６２についても同様である。
【００７６】
第１別体シート部材６１、吸収性本体２、及びシート部材３を第１接合部５１によって接合し、第２別体シート部材６２、吸収性本体２、及びシート部材３を第２接合部５２によって接合した後、第１接合部５１及び第２接合部５２よりも横方向の外側に延出する部分を第１接合部５１及び第２接合部５２に沿って切断することにより、図２Ａに示すような平面状態のおむつ１が形成される。
【００７７】
このような平面状態のおむつ１における一対のベルト部３１の横方向の内側端部３１ｅｉ同士を横方向の外側に向かって引っ張りながら開き、吸収性本体２を長手方向の中央位置ＣＬ付近で二つ折りすることにより、図１に示すようなパンツ型のおむつ１として着用可能な状態となる。図２Ａ及び図３Ａでは、中央位置ＣＬを一点鎖線で示している。
【００７８】
＜第１別体シート部材６１及び第２別体シート部材６２の位置関係について＞
次に、第１別体シート部材６１及び第２別体シート部材６２の位置関係について、図４Ａ及び図４Ｂならびに図５を参照して説明する。
【００７９】
図４Ａ及び図４Ｂは、おむつ１の概略平面図であり、図４Ａは、おむつ１を前方から見た場合、図４Ｂは、おむつ１を後方から見た場合を示している。図４Ａ及び図４Ｂでは、吸収体２１を破線で示している。図５は、おむつ１を縦方向に切断した場合の断面模式図である。
【００８０】
前方側（着用者の腹側）において、一対の第１接合部５１の横方向の間に設けられた第１別体シート部材６１は、図５に示すように、吸収性本体２の外装シート２３よりも非肌側に設けられている。第１別体シート部材６１は、表面（外部に露出している側の面）に例えば青色や赤色等の色が付されている。なお、第１別体シート部材６１は、必ずしも当該表面全体に色が付されている必要はなく、他に、例えば模様等が施されていてもよい。すなわち、第１別体シート部材６１は、少なくとも一部に色が付されていればよい。
【００８１】
後方側（着用者の背側）において、一対の第２接合部５２の横方向の間に設けられた第２別体シート部材６２は、図５に示すように、吸収性本体２の吸収体２１と非肌側シート２４との間に設けられている。したがって、第２別体シート部材６２は外部に露出していないため、外観上、第２別体シート部材６２が目立つことがなく、よりすっきりとしたおむつ１の印象を与えることができる。
【００８２】
なお、本実施形態では、第２別体シート部材６２は、吸収体２１と非肌側シート２４との間に設けられているが、これに限らず、例えば外装シート２３と非肌側シート２４との間に設けられていてもよい。
【００８３】
図４Ａに示すように、おむつ１を前方から見た場合、一対の第１接合部５１の横方向の間の領域５１ａでは、色が付された第１別体シート部材６１を確認することができる。一方、図４Ｂに示すように、おむつ１を後方から見た場合、一対の第２接合部５２の横方向の間の領域５２ａでは、吸収性本体２の外装シート２３を確認することができる。これは、前述したように、第２別体シート部材６２が吸収性本体２の内部（外装シート２３よりも肌側）に配置されていることによる。
【００８４】
そして、本実施形態では、外装シート２３は着色されておらず、特に模様等も施されていない。つまり、外部からおむつ１を見た場合、当該おむつ１は、第１別体シート部材６１以外の部分は着色されていない状態である。
【００８５】
したがって、おむつ１は、前方側における一対の第１接合部５１の横方向の間の領域５１ａの色と後方側における一対の第２接合部５２の横方向の間の領域５２ａの色とが異なっている。色が付された第１別体シート部材６１が外装シート２３よりも非肌側に設けられていることにより、着用者は外部から第１別体シート部材６１を容易に視認することが可能となり、おむつ１を着用する際、第１別体シート部材６１の色を手掛かりとして、おむつ１の前後方向の判断を容易にすることができる。
【００８６】
ここで、例えば、おむつ１を構成する各部材において、白色の状態を「色を付していない（着色していない）状態」とし、白色以外の色の状態が「色を付している（着色している）状態」と捉えることが可能である。また、「色を付す」ことには、例えば黒色（白色以外の色）の状態が通常であるものに対して白色を付す場合についても含まれるものとする。
【００８７】
なお、前方側における一対の第１接合部５１の横方向の間の領域５１ａの色と後方側における一対の第２接合部５２の横方向の間の領域５２ａの色とが異なっているおむつ１の態様については、前述した態様の他にいくつか考えられる。
【００８８】
例えば、前方側では、外装シート２３よりも非肌側に設けられた第１別体シート部材６１を着色せず、後方側では、少なくとも一対の第２接合部５２の横方向の間の領域５２ａにおいて外装シート２３に色を付すことも可能である。
【００８９】
また、必ずしも第１別体シート部材６１が外装シート２３よりも非肌側に設けられている必要はなく、例えば第１別体シート部材６１が吸収体２１と外装シート２３との間に設けられ、第２別体シート部材６２が外装シート２３よりも非肌側に設けられていてもよい。この場合、前方側では、一対の第１接合部５１の横方向の間の領域５１ａにおいて外装シート２３を着色せず、後方側では、第２別体シート部材６２の少なくとも一部に色を付すことも可能である。
【００９０】
さらに、必ずしも、第１別体シート部材６１及び第２別体シート部材６２のうちいずれか一方が外装シート２３よりも非肌側に設けられ、他方が吸収体２１と外装シート２３との間に設けられている必要はなく、例えば、第１別体シート部材６１及び第２別体シート部材６２のそれぞれが外装シート２３よりも非肌側に設けられていてもよい。この場合、第１別体シート部材６１の色（例えば赤色）と第２別体シート部材６２の色（例えば青色）とを異なる色に着色することで、おむつ１の前後方向を判断することができる。
【００９１】
その他にも、第１別体シート部材６１及び第２別体シート部材６２のそれぞれが吸収体２１と外装シート２３との間に設けられていてもよい。この場合、一対の第１接合部５１の横方向の間の領域５１ａにおける外装シート２３の色と一対の第２接合部５２の横方向の間の領域５２ａにおける外装シート２３の色とを異なる色にすることで、おむつ１の前後方向を判断することができる。
【００９２】
ただし、おむつ１の前後方向の判断を容易にするためには、少なくとも第１別体シート部材６１及び第２別体シート部材６２のうちいずれか一方が外装シート２３よりも非肌側に設けられていることが望ましい。
【００９３】
おむつ１の前後方向の判断を容易にするための色の付し方について例示してきたが、おむつ１において、前方側における一対の第１接合部５１の横方向の間の領域５１ａの色と後方側における一対の第２接合部５２の横方向の間の領域５２ａの色とが異なっていれば、色の付し方について特に制限はない。
【００９４】
＝＝＝第２実施形態＝＝＝
次に、本発明の第２実施形態に係るおむつについて、図６Ａ及び図６Ｂならびに図７を参照して説明する。
【００９５】
図６Ａ及び図６Ｂは、第２実施形態に係るおむつを示し、図６Ａは、製造工程の途中におけるおむつの展開状態を示す平面展開図であり、図６Ｂは、図６ＡのVIＢ−VIＢ線断面図である。図７は、第２実施形態に係るおむつを縦方向に切断した場合の断面模式図である。
【００９６】
本実施形態に係るおむつは、第１別体シート部材６３及び第２別体シート部材６４の構成が第１実施形態に係るおむつ１の第１別体シート部材６１及び第２別体シート部材６２の構成と異なり、その他の構成については同様である。図６Ａ及び図６Ｂならびに図７において、第１実施形態に係るおむつ１について説明したものと共通する構成要素については、同一の符号を付してその説明を省略する。
【００９７】
本実施形態に係るおむつでは、第１別体シート部材６３及び第２別体シート部材６４は、吸収体２１よりも肌側に設けられている。具体的には、図６Ｂ及び図７に示すように、第１別体シート部材６３及び第２別体シート部材６４は、肌側シート２２よりもさらに肌側に設けられている。すなわち、着用者がおむつを着用した際には、第１別体シート部材６３及び第２別体シート部材６４が着用者の肌に接触する。
【００９８】
これにより、第１別体シート部材６３及び第２別体シート部材６４が外部に露出していないため、外観上、第１別体シート部材６３及び第２別体シート部材６４が目立つことがなく、よりすっきりとしたおむつの印象を与えることができる。
【００９９】
なお、第１別体シート部材６３及び第２別体シート部材６４が吸収体２１よりも肌側に設けられている場合には、図６Ａに示すように、第１別体シート部材６３及び第２別体シート部材６４はそれぞれ、吸収性本体２のうち吸収体２１が設けられた領域に重ならないように配置する必要がある。これにより、当該おむつでは、着用者の排泄口と吸収体２１との間において第１別体シート部材６３及び第２別体シート部材６４が介在しないため、尿等の排泄液を吸収体２１にすばやく吸収させることができる。
【０１００】
図７に示すように、第１別体シート部材６３は、吸収性本体２に接合されていない非接合部６３２を縦方向の下端側に、吸収性本体２に接合された接合部６３１を非接合部６３２よりも上方側に、それぞれ有している。第２別体シート部材６４は、第１別体シート部材６３と同様に、非接合部６４２を縦方向の下端側に、接合部６４１を非接合部６４２よりも上方側に、それぞれ有している。接合部６３１，６４１は、図６Ａに示すように、例えばホットメルト接着剤等の接着剤がストライプ状に塗布されることにより、吸収性本体２と接合している。
【０１０１】
図７に示すように、第１別体シート部材６３の非接合部６３２と肌側シート２２（吸収性本体２）との間には、縦方向の下方に開口する空間６３２ａが形成され、第２別体シート部材６２の非接合部６４２と肌側シート２２（吸収性本体２）との間には、縦方向の下方に開口する空間６４２ａが形成されている。空間６３２ａ，６４２ａはそれぞれ、外部に開放した空間である。
【０１０２】
このように、第１別体シート部材６３の非接合部６３２と吸収性本体２との間に空間６３２ａが、第２別体シート部材６４の非接合部６４２と吸収性本体２との間に空間６４２ａが、それぞれ形成されていることにより、吸収性本体２の長手方向に沿って肌側シート２２の肌側面を伝った尿等の液体を空間６３２ａ，６４２ａにて受け止めることができ、液体の漏れを抑制することができる。なお、この場合、第１別体シート部材６３及び第２別体シート部材６４は、液体を透過しにくいシート部材であることがより好ましい。
【０１０３】
さらに、例えば帯状の吸収パッド７（図７において二点鎖線で示す）を本実施形態に係るおむつに用いるような場合であっても、当該吸収パッド７の長手方向の一端部７３を空間６３２ａ内に、他端部７４を空間６４２ａ内に、それぞれ収容することができるため、吸収パッド７を収容するための収容空間を別途設ける必要がない。すなわち、本実施形態に係るおむつには、別体の吸収パッド７を適用することも可能となる。
【０１０４】
図６Ａに示すように、第１別体シート部材６３の非接合部６３２には糸ゴム６３２ｂが、第２別体シート部材６４の非接合部６４２には糸ゴム６３２ｂが、それぞれ横方向に伸長された状態で接合されていてもよい。図６Ａでは、糸ゴム６３２ｂ，６４２ｂを破線で示している。なお、必ずしも糸ゴムである必要はなく、横方向に伸縮可能な弾性部材であれば特に制限はない。
【０１０５】
第１別体シート部材６３の非接合部６３２に糸ゴム６３２ｂが、第２別体シート部材６４の非接合部６４２に糸ゴム６４２ｂが、それぞれ接合されていることにより、第１別体シート部材６３の非接合部６３２及び第２別体シート部材６４の非接合部６４２がそれぞれ横方向に収縮し、空間６３２ａ内に収容される吸収パッド７の一端部７３との間の隙間、及び空間６４２ａ内に収容される吸収パッド７の他端部７４との間の隙間が埋まる。これにより、吸収パッド７の一端部７３及び他端部７４が、空間６３２ａ，６４２ａ内から抜け落ちることを抑制することが可能となる。
【０１０６】
＝＝＝第３実施形態＝＝＝
次に、本発明の第３実施形態に係るおむつについて、図８を参照して説明する。
【０１０７】
図８は、第３実施形態に係るおむつを縦方向に切断した場合の断面模式図である。
【０１０８】
本実施形態に係るおむつは、第１別体シート部材６３及び第２別体シート部材６４の位置関係が第１実施形態に係るおむつ１の第１別体シート部材６１及び第２別体シート部材６２の位置関係、ならびに第２実施形態に係るおむつの第１別体シート部材６３及び第２別体シート部材６４の位置関係と異なり、その他の構成については同様である。図８において、第１実施形態に係るおむつ１について説明したものと共通する構成要素については、同一の符号を付してその説明を省略する。
【０１０９】
本実施形態に係るおむつでは、第１別体シート部材６５が吸収体２１よりも非肌側に設けられ、第２別体シート部材６６が吸収体２１よりも肌側に設けられている。具体的には、図８に示すように、第１別体シート部材６５が外装シート２３よりもさらに非肌側に設けられ、第２別体シート部材６６が肌側シート２２よりもさらに肌側に設けられている。
【０１１０】
前方側に設けられた第１別体シート部材６５の吸収体２１に対する配置位置と後方側に設けられた第２別体シート部材６６の吸収体２１に対する配置位置とを変えることにより、前方側の構造と後方側の構造との違いを手掛かりとして、おむつの前後方向の判断を容易にすることができる。
【０１１１】
なお、他に、第１別体シート部材６５が吸収体２１よりも肌側に設けられ、第２別体シート部材６６が吸収体２１よりも非肌側に設けられていてもよい。すなわち、前方側の第１別体シート部材６５及び後方側の第２別体シート部材６６のうちいずれか一方が吸収体２１よりも非肌側に設けられ、他方が吸収体２１よりも肌側に設けられていればよい。
【０１１２】
また、第１別体シート部材６５は、少なくとも一部に色が付された状態で外装シート２３よりも非肌側に設けられている。したがって、本実施形態に係るおむつを前方から見た場合、着用者は色が付された第１別体シート部材６５を確認することができ、当該おむつを後方から見た場合、着用者は着色されていない外装シート２３を確認することができる。すなわち、本実施形態に係るおむつについても、第１実施形態に係るおむつ１と同様に、前方側における一対の第１接合部５１の横方向の間の領域５１ａの色と後方側における一対の第２接合部５２の横方向の間の領域５２ａの色とが異なっている。
【０１１３】
これにより、本実施形態に係るおむつは、色が付された第１別体シート部材６５が外装シート２３よりも非肌側に設けられていることにより、着用者は外部から第１別体シート部材６５を容易に視認することが可能となり、当該おむつを着用する際、第１別体シート部材６５の色を手掛かりとして、当該おむつの前後方向の判断を容易にすることができる。
【０１１４】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【０１１５】
１…おむつ（吸収性物品）
２…吸収性本体
４…脚回り開口部
２１…吸収体
２２…肌側シート
２３…外装シート
２４…非肌側シート
３１…ベルト部
５１…第１接合部
５１ａ…一対の第１接合部の横方向の間の領域
５２…第２接合部
５２ａ…一対の第２接合部の横方向の間の領域
６１，６３，６５…第１別体シート部材
６２，６４，６６…第２別体シート部材
６３２，６４２…非接合部
６３２ａ，６４２ａ…空間
６３２ｂ，６４２ｂ…糸ゴム（弾性部材）
【図１】
2017006576.tif 000003
【図２】
2017006576.tif 000004
【図３】
2017006576.tif 000005
【図４】
2017006576.tif 000006
【図５】
2017006576.tif 000007
【図６】
2017006576.tif 000008
【図７】
2017006576.tif 000009
【図８】
2017006576.tif 000010